(57)【特許請求の範囲】
【請求項１】
シム体の両面に圧電体層が配置された圧電セラミック振動子と、
前記圧電セラミック振動子から延在する前記シム体の端部を保持し、前記圧電セラミック振動子の撓み振動を対象物に伝播させるホルダと、
前記ホルダとの間に隙間を空けて前記圧電体層に固定された少なくとも１つの補助ホルダとを有し、
前記補助ホルダを介して、前記圧電セラミック振動子の撓み振動の一部が前記対象物に伝播されるように構成される、圧電アクチュエータ。
【請求項２】
前記圧電セラミック素子の保持部から先端部に向かう長さ方向において、前記圧電体層の前記長さ方向の中心よりも前記ホルダに近い位置に、前記補助ホルダの前記ホルダに対向する面が位置していることを特徴とする請求項１に記載の圧電アクチュエータ。
【請求項３】
前記圧電セラミック素子の保持部から先端部に向かう長さ方向において、前記圧電体層の前記長さ方向の中心よりも前記ホルダに近い位置に、前記補助ホルダの全体が設けられていることを特徴とする請求項１に記載の圧電アクチュエータ。
【請求項４】
前記圧電セラミック素子の保持部から先端部に向かう長さ方向において、前記補助ホルダの前記長さ方向の長さ寸法が、前記ホルダの前記長さ方向の長さ寸法と等しいか又は短い、請求項１から３のいずれか１項に記載の圧電アクチュエータ。
【請求項５】
前記補助ホルダはシリコンゴムにより形成される、請求項１から４のいずれか１項に記載の圧電アクチュエータ。
【請求項６】
前記補助ホルダは、前記圧電セラミック振動子に接する面および／または前記対象物に接する面にスリットが形成されている、請求項１から５のいずれか１項に記載の圧電アクチュエータ。
【請求項７】
前記補助ホルダに貫通孔が形成されている、請求項１から６のいずれか１項に記載の圧電アクチュエータ。
【請求項８】
前記ホルダと前記補助ホルダとが接続部材によって相互接続されると共に、前記隙間が前記圧電セラミック振動子の根本部分周辺に確保されている、請求項１から７のいずれか１項に記載の圧電アクチュエータ。
【請求項９】
前記圧電セラミック振動子の先端側において前記シム体に前記補助ホルダが取り付けられている、請求項１に記載の圧電アクチュエータ。
【請求項１０】
前記ホルダには２以上の前記圧電セラミック振動子が保持され、互いに隣接する前記セラミック、振動子同士の間に前記補助ホルダとは別の補助ホルダが配置されている、請求項１から９のいずれか１項に記載の圧電アクチュエータ。
【請求項１１】
請求項１から１０のいずれか１項に記載の圧電アクチュエータを振動源として搭載し、前記対象物として筐体を振動させることを特徴とする電子機器。
【請求項１２】
請求項１から１０のいずれか１項に記載の圧電アクチュエータを振動源として搭載し、筐体振動を音波に変換する機能を有することを特徴とする電子機器。
【請求項１３】
請求項１から１０のいずれか１項に記載の圧電アクチュエータを搭載し、筐体に生じる振動を該圧電アクチュエータにより電圧に変換する機能を有することを特徴とする電子機器。
【請求項１４】
請求項１から１０のいずれか１項に記載の圧電アクチュエータを搭載し、筐体を受音面として、該圧電アクチュエータにより音波を電圧に変換する機能を有することを特徴とする電子機器。
【発明の詳細な説明】
【技術分野】
【０００１】
本発明は、例えば携帯電話機のバイブレータ等として用いられる圧電アクチュエータ、およびそれを搭載した電子機器に関する。
【背景技術】
【０００２】
昨今、携帯電話機、ノート型パーソナルコンピュータ、ＰＤＡなど小型で携帯性をもつ電子機器が盛んに利用されるようになった。これらの機器は、ネットワークシステムやソフトウエアの進展とともに、その応用に広がりを見せ、利用者の利便性が高まっている。これにより、場所を選ばず、振動や音波を利用し、情報伝達を正確におこなう高機能デバイスの重要性が高まっており、バイブレータ、振動センサ、タッチセンサなどの振動部品、スピーカ、マイクロホン、レシーバなどの音響部品をはじめ、振動音響信号伝達の品質向上と小型化が期待されている。携帯性を有する電子機器向けの振動源として、低消費電力、小型化の観点から圧電セラミック方式が利用されている。【０００３】
図１に、従来の代表的な矩形状圧電セラミック振動子の屈曲振動を利用した圧電アクチュエータを示す。図１の圧電アクチュエータは、２枚の薄肉圧電セラミック板１１１、１１３が、板状のシム材１１２の両面に貼り付けられてなる圧電セラミック振動子１０１を有している。圧電セラミック振動子１０１は、ホルダ１０２を介して電子機器の筐体１０４に固定される構成となっている（このような構成につき非特許文献１参照）。【０００４】
このように構成された圧電アクチュエータは、２枚のセラミック板のうちの一方がその長さ方向に延びると共に他方が縮むことにより、振動子１０１が厚み方向に屈曲変形する。具体的には、圧電セラミックス振動子１０１に交流電界を印加すると、該振動子が屈曲振動（撓み振動）することとなる。このようにして生じた振動子１０１の振動がホルダ１０２を介して筐体１０４に伝達されることで、バイブレータや音響素子として機能することとなる。【０００５】
次に、特許文献１に開示された圧電アクチュエータについて図２を参照して説明する。図２（ａ）に示すように、２つの圧電セラミック振動子２０１は、それぞれ空間２３１内に収容されている。各振動子２０１は、上記構成同様、シム材２１２の両面に圧電セラミック板２１１、２１３が貼り付けられたものであり、いずれも片端が保持部２０６によって片持ち梁状に保持されている。このように構成された圧電アクチュエータでは、各振動子の振動は保持部２０６を介して筐体（ケース）に伝達されることとなる。【０００６】
図２（ｂ）は図２（ａ）の保持部周辺の拡大図である。同文献には、図示するように、ケース内壁面と振動子との間に接着剤層２０９を形成することにより、振動子を固定する旨記載されている。
【非特許文献１】「圧電セラミクスの応用」、学献社、１９８９年、ｐ．７１
【特許文献１】特開２００５−１６００２８号公報
【発明の開示】
【発明が解決しようとする課題】
【０００７】
さて、携帯性を有するＰＤＡ、小型ＰＣ、携帯電話機などの電子機器は、繁華街などの騒音環境下や、鞄、衣服のポケットの中のように密閉された空間での動作が必要である。したがって、使用者に振動や音波による信号伝達が可能であるように、電子機器に使用される振動源の振動量の増大もしくは加振力の増大が求められている。しかし、携帯性を有する電子機器は利用頻度が高いため、信頼性確保の観点から筐体は剛性が高く設計されており、電子機器の利用者に感知される程度の振動量を得るためには、振動源には大きな加振力が必要である。【０００８】
ここで、従来技術の圧電アクチュエータ（図１参照）の振動態様を図３を参照してより具体的に説明する。圧電セラミック振動子１０１の屈曲振動により生じた振動は、ホルダ１０２を介して、ホルダに接合された筐体などの弾性体１０４に振動が伝播する。【０００９】
ホルダ部分における振動の伝播は、次のようにしておこなわれる。すなわち、振動子の振動は、ホルダ１０２の根本に回転モーメントＭを生じさせ、この回転モーメントＭにより、筐体１０４の主面に対して垂直以外の方向に力が作用することとなり、筐体１０４に撓み変形が生じる。【００１０】
しかし、弾性体１０４の主面に対して、面方向もしくは水平方向の圧電セラミック振動子１０１の慣性力成分がホルダ１０２の接合部において作用するため、ホルダの圧電セラミックス振動子との接合部近傍に機械的な撓み振動が水平方向に起こる。つまり、ホルダ１０２は弾性体の主面の面方向とは異なる水平方向の振動成分を含むこととなる。【００１１】
このように、弾性体１０４への振動伝達に対して無効である水平方向の振動成分に、振動源のエネルギーが費やされると、弾性体１０４へ伝播される振動量が低下する。このように振動量が低下するということは、圧電アクチュエータの弾性体１０４に対する加振力が低下することを意味する。【００１２】
次に、図２の構成について言えば、保持部２０６は、正確には、図２（ａ）に示すように上部２０６ａ、中部２０６ｂ、および下部２０６ｃから構成されている。このような構成では、保持部２０６が外装ケースと一体的に構成されているため、外装ケースに振動エネルギーが盛れ、電子機器への振動エネルギーの伝播量が減少する。すなわち、十分な振動量が得られないという課題がある。【００１３】
さて一方、利用者の指先からの振動や音声を検知し情報を処理する機能の応用として、タッチパネル入力や自動音声認識機能など、利用者と電子機器を結ぶ簡易かつ高感度のインターフェース機能がある。こうした機能は、ユビキタス社会の到来を迎え益々重要な位置付けにある。振動や音波の検知には、従来、電磁方式の振動ピックアップやマイクロホンが用いられており、その一例としては、振動や音波に応じて電極間の静電容量の変化もしくは巻き線コイルに誘導される電流を検知するもの等がある。【００１４】
これらは、省スペースが求められるＰＤＡや携帯電話機などの携帯性を有する電子機器に搭載するために、その面積を小さくする必要があり、この結果、感度が小さくなるといった課題があった。これに対して圧電方式は、振動を電圧に変換する感度の高い圧電効果を有することが知られているが、従来の圧電アクチュエータを利用したセンサは振動伝達が比較的効率が低く、振動伝達効率の改善が望まれていた。【００１５】
本発明は上記問題点に鑑みてなされたものであり、対象物（例えば電子機器の筐体など）と圧電セラミック振動子との間の振動の伝達を効率的におこなうことが可能な圧電アクチュエータ、およびそれを搭載した電子機器を提供することにある。
【課題を解決するための手段】
【００１６】
上記課題を解決するため、本発明の圧電アクチュエータは、シム体の両面に圧電体層が配置された圧電セラミック振動子と、前記圧電セラミック振動子の端部を保持するホルダとを有し、前記圧電セラミック振動子の撓み振動を前記ホルダを介して対象物に伝播させる圧電アクチュエータにおいて、前記ホルダが前記対象物に取り付けられた際に前記圧電セラミック振動子と前記対象物との間となる位置に、前記ホルダとの間に隙間をあけて少なくとも１つの補助ホルダが設けられ、該補助ホルダを介して、前記圧電セラミック振動子の撓み振動の一部が前記対象物に伝播されるようになっていることを特徴とする。【００１７】
このように構成された本発明の圧電アクチュエータによれば、圧電セラミック振動子の撓み振動が、ホルダおよび補助ホルダの双方を介して対象物（例えば筐体など）に伝播されるため、振動が効率よく伝達される。また、補助ホルダと圧電セラミック振動子とが接着されていることにより、従来の構成と比較して、振動子からホルダに伝わる水平方向の振動成分が低減し、この点からしても、振動子と対象物との間の振動の伝達効率が改善される。
【発明の効果】
【００１８】
上述の通り、本発明の圧電アクチュエータによれば、補助ホルダが設けられていることから振動の伝達効率が向上し、対象物（例えば電子機器の筐体など）と圧電セラミック振動子との間の振動の伝達が良好に行われるものとなる。
【発明を実施するための最良の形態】
【００１９】
以下、図面を参照し、本発明の実施の形態について詳しく述べる。
（第１の実施形態）
図４は、第１の実施形態の圧電アクチュエータの一構成例を示す斜視図であり、図４（ａ）は分解状態を示し、図４（ｂ）は概略完成状態を示している。【００２０】
図４に示すように、本実施形態の圧電アクチュエータ５０Ａは、圧電セラミック振動子１５と、それを保持するホルダ１２とを有し、さらに、振動子１５と弾性体１４との間に配置される補助ホルダ１３を有している。圧電アクチュエータ５０Ａは、例えば電子機器の筐体である弾性体１４に取り付けられて使用される。【００２１】
圧電セラミック振動子１５は、板状のシム材１８の両面に、２枚の薄肉圧電セラミック板１６、１７が貼り付けられた構成となっている。セラミック板（圧電体層）１６、１７は、シム板１８の片端側の領域１８ａのみを残すようにして、シム板１８に貼り付けられる。ホルダ１２の上部側には溝１２ａが形成されており、この溝に、シム板１８が挿入され固定されるようになっている。【００２２】
補助ホルダ１３は、圧電アクチュエータ５０Ａが弾性板１４に取り付けられた状態で、弾性体１４と圧電セラミック板１６との双方に接するような大きさに形成されている。補助ホルダ１３は圧電セラミック振動子１５および弾性体１４のそれぞれに固定されており、この固定には例えば接着剤を利用可能である。このような補助ホルダ１３が設けられていることにより、後述するように、補助ホルダ１３がない構成と比較して、弾性体１４への振動伝達経路が増加することとなる。【００２３】
補助ホルダ１３の材質は、特に限定されるものではないが、ＡＢＳやゴムなど、弾性を有する有機材料であることが好ましい。補助ホルダ１３は、脆性材料である圧電セラミック板１６に接する部材であるため、補助ホルダ１３を高硬度の材質で構成した場合、例えば、補助ホルダ１３と圧電セラミック板１６とを接合する際にマイクロクラックが発生する可能性があるためである。【００２４】
補助ホルダ１３は、ホルダ１２から所定距離離れた位置に配置されており、両ホルダ１２、１３間には隙間１１が形成されている。仮に、隙間をあけることなく補助ホルダ１３をホルダ１２に密着させて配置した場合、振動子１５がその根本部分で十分に撓まないこととなり、その結果、得られる振動量も小さくなる。これに対して、本実施形態のように隙間１１が確保されている場合、隙間１１において振動子１５は良好に撓むことができるため、得られる振動量も十分なものとなる。【００２５】
なお、補助ホルダ１３とホルダ１２との間の距離は特に限定されるものではなく、例えば、図５、図６に示すような構成であってもよい。図５の圧電アクチュエータ５０Ｂでは、圧電セラミック板１７の長さ方向（図示横方向）の中心線ＣＬよりも、ややホルダ１２寄りの位置に、補助ホルダ１３が配置されている。図６の圧電アクチュエータ５０Ｃでは、中心線ＣＬよりも、ややホルダ１２から離れた側の位置に、補助ホルダ１３が配置されている。【００２６】
次に、上記のように構成された本実施形態の圧電アクチュエータの動作について、図７を参照して説明する。図７は、図４の圧電アクチュエータの動作について説明するための模式図である。【００２７】
本実施形態の構成では、圧電セラミック振動子１５の振動が、ホルダ１２を介して弾性体１４に伝達されると共に（矢印ａ参照）、補助ホルダ１３を介しても弾性体１４に伝達されるようになっている（矢印ｂ参照）。このように振動の伝達経路が、（従来１つであったのに対して）２つとなっていることから、弾性体１４への伝達効率が向上し、その結果、加振力が飛躍的に増加する。【００２８】
また、補助ホルダ１３が設けられていることにより、振動子１５はその水平方向の運動が拘束されるため、従来の圧電アクチュエータに生じた圧電振動子の慣性力による水平方向の振動成分が生じにくくなる。このように水平方向の振動成分の発生が抑えられるということは、振動子１５から弾性体１４への振動の伝達効率がより向上することを意味する。【００２９】
なお、上記圧電アクチュエータ（一例として５０Ａ）は、音響素子やバイブレータとして利用可能である。つまり、図７の構成で説明すれば、振動子１５から筐体（１４）に伝達された振動を、音、あるいはバイブレータにおける振動として利用することが可能である。逆に、電子機器筐体（１４）を、振動や音波の受面として利用して、振動センサや音響センサを構成することも可能である。この場合、外部からの振動が、ホルダ１２、１３を介して振動子１５に伝達され、この振動が電気信号に変換される。【００３０】
本実施形態のさらに他の形態について図８を参照して説明する。本発明は、図８（ａ）の圧電アクチュエータ５０Ｄのように、Ｘ方向の長さ寸法Ｌ１３がホルダの長さ寸法Ｌ１２よりも大きい補助ホルダ１３’を有するものであってもよい。また、図８（ｂ）の圧電アクチュエータ５０Ｅのように、長さ寸法がさらに大きい補助ホルダ１３’’を有するものであってもよい。【００３１】
このような構成であっても、補助ホルダが設けられていることによって振動の伝達経路が従来構成（伝達経路が１つのみ）に比して増加している点、および、補助ホルダとホルダ１２との間に所定の隙間がとられている点では上記に説明した構成と共通し、上記同様の作用効果を得ることができる。特に、図８のような構成では、補助ホルダ１３と弾性体１４との接触面積が増しているため、振動伝達量が増加し、加振力をより増加させる効果がある。【００３２】
なお、図４〜図８では、圧電アクチュエータが搭載される電子機器は特に示さなかったが、電子機器としては例えば図９に示すような携帯電話機（詳細は後述する）であってもよい。このような携帯電話機などの電子機器において、本発明に係る圧電アクチュエータを、筐体に接合した振動源として利用すると、筐体全体に効率よく振動伝達される。単周波数の交流電圧を圧電アクチュエータに印加すると、使用者に振動で着信を知らせるバイブレータとして機能する。また音声や音楽信号を印加すれば、筐体全体から音が放射されるスピーカやレシーバとして機能することとなる。【００３３】
圧電セラミックスには、電圧を印加すると振動するという性質とともに、振動を電圧に変化させる圧電効果と呼ばれる性質もある。本発明圧電アクチュエータの補助ホルダは、振動伝達効率を向上させる。外部からの振動や音波が受面の広い電子機器に筐体に伝わると、筐体全体に振動が励振され、この振動信号を圧電アクチュエータは電圧信号に変換し、感度の良い振動・音響センサが実現できる。【００３４】
（第２の実施形態）
本発明は、上記実施形態の構成に限らず、他にも種々変更可能である。以下、これについて幾つかの実施形態を例に挙げて説明する。なお、以下に参照する図面において、同一機能の構造部には同一の符号を付して示すものとし、重複する説明は省略するものとする。また、当然ながら、各実施形態に示す構造同士を適宜組み合わせることも可能である。【００３５】
本発明の圧電アクチュエータにおいて、ホルダおよび補助ホルダの形状は上記に説明したものに限らず、図１０〜図１２に示すような形状であってもよい。上記実施形態のホルダ１２はその奥行き寸法（図１０の矢印Ｙ方向におけるホルダの寸法をいう）が振動子１５の奥行き寸法とほぼ同じであったが、図１０のホルダ２２は、その奥行き寸法が振動子１５よりも長く形成されている。【００３６】
また、補助ホルダに関しても、上記実施形態のように補助ホルダ１３が振動子１５と弾性体１４との間に詰め込まれるようなものに限らず、図１０の補助ホルダ２３のように、補助ホルダ２３に形成されたスリット（不図示）内に振動子１５が挿通されるような構成であってもよい。ホルダ２２と補助ホルダ２３との間、すなわち振動子１５の根元部分周辺には所定の隙間２１があけられている。【００３７】
図１１の圧電アクチュエータ５２Ａでは、所定の隙間３１あけて配置されたホルダ３２と補助ホルダ３３とが、その下部において接続部３９により相互接続された、一体のホルダ部材が利用されている。図１２の圧電アクチュエータ５２Ｂでは、一体のホルダ部材が利用されている点では図１１の構成と共通するが、ホルダ４２と補助ホルダ４３とが、その上下２箇所において接続部４９により相互接続されている点が相違している。別な言い方をすれば、１つの塊状のホルダ部材に対して貫通穴（４１）が形成されたような構成となっている。【００３８】
図１１、図１２に示したように、ホルダと補助ホルダとが一体部材として構成されている場合、ホルダ、補助ホルダを圧電セラミック振動子に分割して接合する必要がなく、工程時間の短縮化が図れ、製造コスト低減の効果がある。さらにこうした構成においては、ホルダ作製には例えば樹脂モールド法などを適用可能であり、ホルダ、補助ホルダともに同一材料を用いることが好ましい。このようにホルダと補助ホルダが一体化されていても、本発明による作用効果は上記実施形態と同様にして得ることができる。【００３９】
（第３の実施形態）
本発明は上記実施形態に限らず、図１３の構成のように、補助ホルダが２つ以上設けられていてもよい。図１３（ａ）の圧電アクチュエータ５３Ａは、図４（ｂ）に示したアクチュエータの構成をベースとして、さらに１つの補助ホルダ１３を追加した例である。ホルダ１２と補助ホルダ１３との間の距離と、補助ホルダ１３同士の間の距離はほぼ等間隔になっている。【００４０】
図１３（ｂ）の圧電アクチュエータ５３Ｂは、図１３（ａ）の構成にさらに補助ホルダ１３を１つ追加した例であり、結果的に３つの補助ホルダ１３が使用されている。図１３（ｃ）の圧電アクチュエータ５３Ｃは、図８（ａ）に示した圧電アクチュエータ５０Ｄをベースとして、振動子１５の先端部（自由端側端部）にさらに１つの補助ホルダ１３を追加した例である。【００４１】
このように、複数の補助ホルダが設けられた構成であっても、補助ホルダが設けられていることによって振動の伝達経路が増加することにより得られる作用効果は上記実施形態と同様である。ここで、図１３の構成と先に示した図８の構成とを比較すると、両者は、補助ホルダと弾性板との総接触面積が大きくなっている点で共通するが、図１３の構成の場合、次のような利点がある。すなわち、圧電セラミック振動子の一定の面積に、分割された幾つかの補助ホルダを接合すると、その面積いっぱいにブロック状の単一補助ホルダを接合する場合と比較して、振動子に補助ホルダが接合されていない箇所が増える。圧電セラミック振動子の屈曲振動に伴う補助ホルダのモーメント運動が大きくなり、その屈曲運動は大きくなる。しかし、多数の補助ホルダを使用している場合、課題である、水平方向の振動が抑制される。また、放熱の観点で言えば、図１３の構成の場合、補助ホルダ同士の間に空間が形成されるので、圧電セラミック振動子の大気に触れる部分が増えており、よって、放熱効率の低下を招くこともない。放熱効率が良いということは、圧電アクチュエータをハイパワーで動作させても問題が生じにくいことを意味する。【００４２】
（第４の実施形態）
本発明の圧電アクチュエータは、上記実施形態に限らず図１４に示すような構成であってもよい。図１４（ａ）の圧電アクチュエータ５４Ａは、単一部材からなる補助ホルダ８３を有しており、該補助ホルダ８３は下面側に図示Ｙ方向に延在するスリット８３ａを備えている。これにより、補助ホルダ８３は、スリット８３ａを挟んだ２箇所で弾性体１４に接するようになっている。【００４３】
図１４（ｂ）の圧電アクチュエータ５４Ｂは、上記構成をさらに変更したものであり、補助ホルダ８３’に２つのスリット８３ａが形成されている。図１４（ｃ）の圧電アクチュエータ５４Ｃは、補助ホルダ８３’’の上面側にも２つのスリット８３ａを形成したものである。図１４（ａ）〜（ｂ）の構成から、次のようなことが言える。すなわち、スリット８３ａは、補助ホルダの外周面のうち、圧電セラミック振動子１５に接する面および／または弾性体１４に接する面に形成されていればよい。【００４４】
（第５の実施形態）
本発明の圧電アクチュエータは、図１５に示すように、振動子１５と弾性体１４との間に配置された塊状の補助ホルダ９３に、貫通孔９３ａが形成されたものであってもよい。勿論、こうした補助ホルダ９３に上記のようなスリットが形成されていてもよい。【００４５】
（第６の実施形態）
本発明の圧電アクチュエータは、上記実施形態に限らず図１６に示すような構成であってもよい。図１６（ｃ）に示す圧電アクチュエータ５６は、圧電セラミック振動子２５と、その一端を保持するホルダ１２と、弾性体１４とを有し、さらに２つの補助ホルダ１３を有している。【００４６】
本実施形態の構成では、上記実施形態とは異なる構成の圧電セラミック振動子２５が用いられており、該振動子２５は、１枚のシム板２８の両端部の領域２８ａ、２８ｂを残すようにして、その両面に圧電セラミック板２６、２７が貼り付けられている（図４（ａ）参照）。圧電セラミック振動子２５は、同図（ｂ）、（ｃ）に示すように、領域２８ａ側がホルダ１２によって片持ち梁状に支持される。【００４７】
一方の補助ホルダ１３は、第１の実施形態等と同じように圧電セラミック板２６と弾性板１４との間に配置される。他方の補助ホルダ１３は、シム板２８と弾性体１４との間に配置される。両ホルダ１３ともに、その上下両面がそれぞれ、圧電セラミック板２６、弾性体１４、シム板２８に接着されている。【００４８】
本実施形態の構成によれば、上記実施形態同様、補助ホルダ１３が設けられていることから、振動子から弾性体への振動伝達量が増加する。それに加えて、シム板２８と弾性体１４との間に補助ホルダ１３が配置されていることから、次のような利点がある。すなわち、携帯電話、ＰＤＡなどの電子機器が床面などへ仮に落下したとしても、その時に発生する衝撃力を剛性の低いシム材が曲がることにより吸収することができるため、脆性材料である圧電セラミックス板の破壊の防止効果があり、高信頼性の振動源が実現できる。【００４９】
（第７の実施形態）
本発明の圧電アクチュエータは、上記実施形態に限らず図１７に示すような積層型の構成であってもよい。【００５０】
図１７（ａ）の圧電アクチュエータ６１は、２つの圧電セラミック振動子１５が単一のホルダ６２に片持ち梁状に保持され、該ホルダ６２が弾性体１４に取り付けられる構成となっている。補助ホルダ１３は、弾性体１４と振動子１５との間、および振動子１５同士の間に配置されている。図１７（ｂ）の圧電アクチュエータ６２では、３つの圧電セラミック振動子１５がホルダ６２’に支持されると共に、弾性体１４と振動子１５との間、および振動子１５同士の間にそれぞれ補助ホルダ１３が配置される構成となっている。【００５１】
さらには、図１７（ｃ）の圧電アクチュエータ６３のように、各圧電セラミック振動子の大きさが異なっていてもよい。図１７（ｃ）のアクチュエータでは、下方の振動子１５が相対的に長く、上方の振動子１５’が相対的に短い構成となっている。【００５２】
図１８は、補助ホルダが配置されていない積層型の構成を示しており、ホルダ３０２に２つの振動子３１５が片持ち梁状に保持され、該ホルダ３０２が弾性体３０４に取り付けられる構成となっている。この構成では、複数の圧電セラミック振動子３１５の振動により、ホルダ３０２介して、弾性体３０４に振動伝達をおこなう場合、単数の圧電セラミック振動子を利用する場合と比較して、加振力が、圧電セラミック振動子の数に比例して、増大することが期待される。【００５３】
しかし実際には、圧電セラミック振動子の数から期待される加振力は得られない。この理由は次の通りである。すなわち、複数セラミック振動子の設置によりホルダ３０２の高さが高くなるため、圧電セラミック振動子の振動による慣性力の水平成分の影響が大きくなる。よって、ホルダ３０２が圧電セラミック振動子３１５との接合部近傍において水平方向に撓みやすくなり、弾性体３０４への振動エネルギーの伝達効率が悪くなるためである。また、各圧電振動子は、ホルダ８０２に接合される位置が、ホルダの高さ方向に異なるため、慣性力の寄与が各圧電セラミック振動子で異なり、各圧電セラミック振動子の振動の緩衝が起こり、その振動力は低下する。【００５４】
これに対して本実施形態の構成によれば、補助ホルダ１３が設けられていることから、圧電セラミック振動子の振動による慣性力の水平成分によるホルダ６２の水平方向の撓みが抑制される。また、弾性体１４と接する面積の増大にともなう振動伝達効率の向上が実現される。さらには、上下に配置された各圧電セラミック振動子が補助ホルダ１３を介して互いに加振されるため、各圧電セラミック振動子は安定した動作が可能になる。その結果、従来技術と比較して、最終的な加振力が飛躍的に増大する。
【実施例】
【００５５】
以下、本発明の効果の詳細な説明を、実施例をもとにおこなう。なお、下記実施例中の「長さ」とは、図４に例示するＸ方向の長さを意図し、同様に、「幅」はＹ方向の長さ、「高さ」はＺ方向の長さを意図するものとする。【００５６】
（実施例１）
実施例１として図４〜図６に示した第１の実施形態型の圧電アクチュエータ５０Ａ、５０Ｂ、５０Ｃを作製した。【００５７】
圧電セラミック板１６、１７として、長さ２５ｍｍ、幅５ｍｍ、厚さ０．２ｍｍのセラミック板を用意し、両主面にＡｇ電極を形成して分極処理を施した。シム板１８として、長さ２８ｍｍ、幅５ｍｍ、厚さ０．１ｍｍの形状であるリン青銅板を用紙した。上記２枚の圧電セラミック板を、エポキシ樹脂でシム板１８の両面に接着すると共に、所定の電気配線を形成して圧電セラミック振動子１５を作製した。【００５８】
ホルダ１２としては、ＡＢＳ樹脂により作製した幅５ｍｍ、長さ４ｍｍ、高さ１０ｍｍの樹脂部材を用意した。振動子１５とホルダ１２との接着には、エポキシ樹脂を用いた。なお、ホルダ１２は、振動を伝達させる電子機器に対して突起し、その底面は平坦である構造にした。【００５９】
補助ホルダ１３として、幅５ｍｍ、長さ４ｍｍ、高さ２ｍｍの形状であるシリコンゴムを３つ用意した。シリコンゴムの配置位置を異ならせて、３つの圧電アクチュエータ５０Ａ、５０Ｂ、５０Ｃを作製した。圧電アクチュエータ５０Ａでは、図４に示されているように、補助ホルダ１３の端面（ホルダ１２に対向する面）が、圧電セラミック板１６、１７の端面に揃うような位置（すなわち、端面から０ｍｍの位置）に、補助ホルダ１３を配置した。【００６０】
図５の圧電アクチュエータ５０Ｂでは、圧電セラミック板１６、１７の端面から５ｍｍの位置に、補助ホルダ１３を配置した。図６の圧電アクチュエータ５０Ｃでは、端面から１０ｍｍの位置に、補助ホルダ１３を配置した。【００６１】
いずれの圧電アクチュエータ５０Ａ、５０Ｂ、５０Ｃにおいても、補助ホルダの底面とホルダの底面の高さが一致し、平坦であり、振動を伝播させる弾性体面に対してホルダ、補助ホルダが突起した構造にした。【００６２】
このようにして構成した圧電アクチュエータを、図９に示すような電子機器（携帯電話機）に搭載した。この携帯電話機７０の構成自体は従来一般的なものであり、筐体７２の１つの面に、液晶ディスプレイ７１および入力キー７３が設けられており、また、液晶ディスプレイ７４側の端面にアンテナ７４が配されている。図９（ｂ）の断面図に示すように、携帯電話機内部には、電池７６や電子回路基板７９が配置されている。圧電アクチュエータの搭載位置は、符号７７で示すように、ディスプレイとアンテナとの間であって筐体７２の内側面とした。圧電アクチュエータのホルダおよび補助ホルダの接合位置は符号７５にて示す箇所（液晶ディスプレイ上にある、筐体の一部を形成する液晶ディスプレイ保護板上）とした。【００６３】
なお、筐体７２としては厚み１ｍｍのステンレス材料を用いた。筐体７２の外形は、長さ５０ｍｍ、幅５０ｍｍ、厚さ２０ｍｍであった。圧電アクチュエータの固定には粘着材料を用いた。【００６４】
本発明に効果を検証するため、圧電アクチュエータに１００Ｈｚ、実行値５Ｖの交流電界を印加し、携帯電話機の振動加速度を計測した。計測位置は、図９（ｂ）の符号Ａ、Ｂで示す位置であり、位置Ａは、ディスプレイのほぼ中央、位置Ｂは電話機裏面における上記位置Ａに対応する位置である。この計測にはレーザ型振動速度計を用いた。２箇所の計測により、筐体全体への振動伝達量の定量化をおこなった。【００６５】
振動加速度の他に、音圧の測定もおこなった。圧電アクチュエータに、１ｋＨｚ、実行値５Ｖの交流電界を印加して、上記位置Ａ、Ｂの２箇所から筐体垂直方向１０ｃｍの距離にマイクロホンを設置して音圧を計測した。これにより振動を音波に変換する音響性能を定量化した。【００６６】
上記のようにして計測した振動量および音圧を、従来技術である圧電アクチュエータを基準もしくは分母にして、その計測値の比を、規格振動量、規格音圧として表した。【００６７】
この結果を表１に示す。従来技術と比較して、本発明技術はいずれも規格振動量、規格音圧の向上が３０％以上図られ、その効果は明らかである。【００６８】
【表１】
0005169817.tif 000002
【００６９】
（実施例２）
実施例２では、図８（ａ）、（ｂ）に示したような、補助ホルダの長さを異ならせた２つの圧電アクチュエータ５０Ｄ、５０Ｅを２つ作製した。なお、これらのアクチュエータは補助ホルダの形状のみが異なるものであり、その他の構造部は上記実施例で作製したものと同じものを使用した。ちなみに、基本となる構成として先の実施例で作製した圧電アクチュエータ５０Ａも使用した。【００７０】
ここで、各アクチュエータ５０、５０Ｄ、５０Ｅにおける補助ホルダの形状は次の通りである。【００７１】
アクチュエータ５０（補助ホルダ１３）・・・幅５ｍｍ、長さ４ｍｍ、高さ２ｍｍ
アクチュエータ５０Ｄ（補助ホルダ１３’）・・・幅５ｍｍ、長さ８ｍｍ、高さ２ｍｍ
アクチュエータ５０Ｅ（補助ホルダ１３’’）・・・幅５ｍｍ、長さ１２ｍｍ、高さ２ｍｍ
補助ホルダ１３、１３’、１３’’の材質はいずれもシリコンゴムである。圧電アクチュエータ５０Ｄ、５０Ｅでは、上記実施例の圧電アクチュエータ５０Ａと同様、補助ホルダの端面と圧電セラミック板１６、１７の端面とが揃うような位置に、補助ホルダ１３’、１３’’を配置した。このとき、実施例1と同様に、補助ホルダの底面とホルダの底面の高さを一致させ、振動を伝達させたい筐体に対してホルダ、補助ホルダが突起する構成とした。【００７２】
以上のようにして作製した圧電アクチュエータ５０Ａ、５０Ｄ、５０Ｅを、それぞれ、携帯電話機（図９参照）に搭載し、実施例１同様、振動量の測定と音圧の測定とをおこなった。その結果を表２に示す。本発明技術はいずれも振動量と音圧の向上が２０％以上図られ、その効果は明らかである。【００７３】
【表２】
0005169817.tif 000003
【００７４】
（実施例３）
実施例３では、図１４に示した圧電アクチュエータ５４Ａ、５４Ｂと、図１２の圧電アクチュエータ５２Ｂを作製した。なお、これらのアクチュエータは補助ホルダの形状のみが異なるものであり、その他の構造部は上記実施例１で作製したものと同じものを使用した。【００７５】
ここで、各アクチュエータにおける補助ホルダの形状は次の通りである。【００７６】
アクチュエータ５４Ａ（補助ホルダ８３）・・・外形：幅５ｍｍ、長さ８ｍｍ、高さ２ｍｍ／スリット：底部中央にスリット幅２ｍｍ、深さ０．５ｍｍのスリット８３ａを１つ形成した（なお、スリット８３ａは補助ホルダの図示手前側の面から奥側の面（不図示）まで一直線に形成した）。【００７７】
アクチュエータ５４Ｂ（補助ホルダ８３’）・・・外形：幅５ｍｍ、長さ８ｍｍ、高さ２ｍｍ／スリット：底部中央にスリット幅２ｍｍ、深さ０．５ｍｍのスリット８３ａを２つ形成した（なお、それぞれのスリット８３ａは補助ホルダの図示手前側の面から奥側の面（不図示）まで一直線に形成した）。より具体的には、各スリット８３ａは補助ホルダ底部中心位置から２ｍｍの位置にそれぞれ形成した。【００７８】
なお、上記各アクチュエータ５４Ａ、５４Ｂにおいても上記実施形態同様、補助ホルダの底面とホルダの底面の高さを一致させている。【００７９】
アクチュエータ５２Ｂ・・・外形：幅７ｍｍ、長さ４ｍｍ、高さ１０ｍｍ／貫通穴：幅７ｍｍ、長さ２ｍｍ、高さ６ｍｍ／材質：シリコンゴムである一体部材（ホルダ部材）を用意した。この部材は一体成形により作製したものである。このホルダ部材に、上記実施例１と同様の振動子１５を取り付け、圧電アクチュエータ５２Ｂとした。【００８０】
評価は、実施例１と同様に、図９の携帯電話に、4つの圧電アクチュエータを各々接合し、実施例１と同様の評価をおこなった。その結果を表３に示す。本発明に係る構成ではいずれも、振動量と音圧の向上が４０％以上図られていた。【００８１】
【表３】
0005169817.tif 000004
【００８２】
（実施例４）
実施例４では、図１６に示した圧電アクチュエータ５６を作製した。【００８３】
圧電セラミック板２６、２７として、長さ２５ｍｍ、幅５ｍｍ、厚さ０．２ｍｍのセラミック板を用意し、両主面にＡｇ電極を形成して分極処理を施した。シム板２８として、長さ３５ｍｍ、幅５ｍｍ、厚さ０．１ｍｍの形状であるリン青銅板を用紙した。上記２枚の圧電セラミック板を、エポキシ樹脂でシム板２８の両面に接着すると共に、所定の電気配線を形成して圧電セラミック振動子２５を作製した。最終的に、シム板２８の領域２８ｂがセラミック板２６、２７の端面から７ｍｍ突出する形態であった。【００８４】
ホルダ１２は、実施例１と同じものを用意した。すなわち、ＡＢＳ樹脂により作製した幅５ｍｍ、長さ４ｍｍ、高さ１０ｍｍの形状の部材である。補助ホルダ１３はいずれもシリコンゴムであり、幅５ｍｍ、長さ４ｍｍ、高さ２ｍｍの形状である。【００８５】
この２つの補助ホルダを、図１６（ｃ）に示したように、ホルダ１２側の圧電セラミック板端部の位置と、リン青銅板（２８）の先端部位置に接合した。このとき、補助ホルダの底面とホルダの底面の高さを一致させている。【００８６】
評価は、実施例１と同様に、図９の携帯電話に、4つの圧電アクチュエータを、ホルダ・補助ホルダを介して各々接合して、実施例１と同様の評価をおこなった。その結果を表４に示す。本発明に係る構成ではいずれも振動量と音圧の向上が５０％以上図られていた。【００８７】
【表４】
0005169817.tif 000005
【００８８】
（実施例５）
実施例５では、図１７に示した積層型の圧電アクチュエータ６１を作製すると共に、それとは別に比較用のアクチュエータを構成した。各圧電セラミック振動子１５として上記実施例１で作製したものと同じものを用意した。【００８９】
ホルダ６２としては、ＡＢＳ樹脂により作製した幅５ｍｍ、長さ４ｍｍ、高さ１０ｍｍの樹脂部材を用意し、高さ方向に２ｍｍの距離をあけて溝（符号を付して示さず）を形成した。この溝にそれぞれに各振動子１５をエポキシ樹脂を用いて固定した。【００９０】
補助ホルダ１３として、樹脂モールド法の一体成形により幅５ｍｍ、長さ４ｍｍ、高さ２ｍｍの形状をもつシリコンゴム製の補助ホルダを用意した。【００９１】
〔比較用アクチュエータ：従来技術複層〕
上記のようにして作製した、ホルダ６２に２つの振動子１５を固定しただけの構成のもの（すなわち補助ホルダを備えていない構成）を比較用アクチュエータ（「従来技術複層」と呼ぶ）として用意した。【００９２】
〔圧電アクチュエータ６１〕
上記のようにして作製した構成（従来技術複層に相当）に対し、振動子１５同士の間および振動子１５と弾性体との間となる位置に上記補助ホルダ１３を設け、本発明に係る圧電アクチュエータ６１を構成した。補助ホルダ１３の接着には、アクリル系接着剤を用いた。このとき、補助ホルダの底面とホルダの底面の高さを一致させている。【００９３】
本発明に係る構成の加振力改善効果を確認するため、実施例１に記載の従来技術圧電アクチュエータを作製した（「従来技術単層」と称す）。【００９４】
評価は、実施例１と同様に、従来技術単層の圧電アクチュエータの振動速度および音圧を基準とした評価をおこなった。その結果を表５に示す。本発明に係る構成ではいずれも、従来技術単層圧電アクチュエータと比較して２６０％以上の特性向上が図られていた。しかし、従来技術複層の圧電アクチュエータは約１３０％の特性向上しか得られていない。このことから、従来技術の構成では振動エネルギーの損失が大きく、これに対して本発明に係る構成では、振動が効率的に伝播されることが明示された。【００９５】
【表５】
0005169817.tif 000006
【００９６】
（実施例６）
実施例1に記載の圧電アクチュエータを搭載した携帯電話機（図９参照）において、加振器を用いて計測点Ａ、Ｂに対して振動を付与し、そのとき圧電アクチュエータに生じる電圧値を測定した。また、各々の計測点から１０ｃｍの距離にスピーカを配置して携帯電話に向けて音を放射させ、そのとき圧電アクチュエータに生じる電圧値を測定した。携帯電話機に対して付与する振動は１００Ｈｚ、０．１ｍ／ｓの振動速度とし、音波は１ｋＨｚ、９０ｄＢ音圧レベルとした。【００９７】
このとき発生する圧電アクチュエータの電圧値を、従来技術と基準として、規格化振動感度、規格化音圧感度として測定し、その結果を表６に示す。実施例1の規格化振動速度、規格化音圧の結果と近似しており、振動源また振動センサとして可逆性をもち、さらには本発明の効果が高いことが示された。以上の実施例で示したように、本発明によれば、圧電アクチュエータの加振力向上が図られ、電子機器に適用し、大きな振動量が得られ、その工業的価値は多大である。【００９８】
【表６】
0005169817.tif 000007
【００９９】
（実施例７）
実施例５に記載の圧電アクチュエータを搭載した携帯電話機（図９参照）において、上記実施例同様、加振器を用いて計測点Ａ、Ｂに対して振動を付与し、そのとき圧電アクチュエータに生じる電圧値を測定した。また、各々の計測点から１０ｃｍの距離にスピーカを配置して携帯電話に向けて音を放射させ、そのとき圧電アクチュエータに生じる電圧値を測定した。携帯電話機に対して付与する振動は、１００Ｈｚ、０．１ｍ／ｓの振動速度とし、音波は１ｋＨｚ、９０ｄＢ音圧レベルとした。【０１００】
このとき発生する圧電アクチュエータの電圧値を、従来技術と基準として、規格化振動感度、規格化音圧感度として測定し、その結果を表７に示す。実施例５の規格化振動速度、規格化音圧の結果と近似しており、振動源また振動センサとして可逆性をもち、さらには本発明の効果が高いことが示された。以上の実施例で示したように、本発明によれば、圧電アクチュエータの加振力向上とセンサ感度向上が図られ、電子機器に適用する工業的価値は多大である。
【図面の簡単な説明】
【０１０１】
【図１】従来の圧電アクチュエータの一構成例を示す斜視図である。
【図２】他の従来例を示す断面図である。
【図３】図１の圧電アクチュエータの動作の様子を説明するための側面図である。
【図４】第１の実施形態の圧電アクチュエータの一構成例を示す斜視図である。
【図５】第１の実施形態の他の圧電アクチュエータの構成を示す斜視図である。
【図６】第１の実施形態のさらに他の圧電アクチュエータの構成を示す斜視図である。
【図７】図４の圧電アクチュエータの動作について説明するための模式図である。
【図８】補助ホルダの長さを異ならせた構成例を示す斜視図である。
【図９】本発明の圧電アクチュエータを搭載可能な携帯電話機の一例を示す図である。
【図１０】第２の実施形態の圧電アクチュエータの構成を示す斜視図である。
【図１１】第２の実施形態の他の圧電アクチュエータの構成を示す斜視図である。
【図１２】第２の実施形態のさらに他の圧電アクチュエータの構成を示す斜視図である。
【図１３】第３の実施形態の圧電アクチュエータの構成を示す斜視図である。
【図１４】第４の実施形態の圧電アクチュエータの構成を示す斜視図である。
【図１５】第５の実施形態の圧電アクチュエータの構成を示す斜視図である。
【図１６】第６の実施形態の圧電アクチュエータの構成を示す斜視図である。
【図１７】第７の実施形態の圧電アクチュエータの構成を示す斜視図である。
【図１８】補助ホルダが配置されていない積層型の構成であり、参考例の圧電アクチュエータを示す斜視図である。
【符号の説明】
【０１０２】
１１、２１、３１、４１    隙間
１２、２２、３２、４２、６２    ホルダ
１３、２３、３３、４３、８３、９３    補助ホルダ
１４    弾性体
１５、２５    圧電セラミック振動子
１６、１７、２６、２７    圧電セラミック板
１８、２８    シム板
１８ａ    領域
３９、４９    接続部
４１    貫通穴
５０〜５６、６１〜６３    圧電アクチュエータ
７０    携帯電話機
８３ａ    スリット
【図１】
0005169817.tif 000008
【図２】
0005169817.tif 000009
【図３】
0005169817.tif 000010
【図４】
0005169817.tif 000011
【図５】
0005169817.tif 000012
【図６】
0005169817.tif 000013
【図７】
0005169817.tif 000014
【図８】
0005169817.tif 000015
【図９】
0005169817.tif 000016
【図１０】
0005169817.tif 000017
【図１１】
0005169817.tif 000018
【図１２】
0005169817.tif 000019
【図１３】
0005169817.tif 000020
【図１４】
0005169817.tif 000021
【図１５】
0005169817.tif 000022
【図１６】
0005169817.tif 000023
【図１７】
0005169817.tif 000024
【図１８】
0005169817.tif 000025